(57)【特許請求の範囲】
【請求項１】
嵌合接続される雌雄一対のコネクタハウジングを備えるコネクタであって、
雌雄一対のコネクタハウジングの内の何れか一方のコネクタハウジングは、相手コネクタハウジングとの嵌合開始位置に位置決めされた場合に先端部が相手コネクタハウジングの後端部よりも相手コネクタハウジングの後方側に突出するようにコネクタハウジング相互の嵌合方向に沿って突設された突起部と、別体の棒状部材をコネクタハウジング相互の嵌合方向と交差する方向に挿通可能に前記突起部の先端部に貫通形成された棒材支持孔と、を備え、
前記雌雄一対のコネクタハウジングの内の他方のコネクタハウジングは、前記一方のコネクタハウジングとの嵌合開始位置に位置決めされた場合にコネクタハウジング相互の嵌合方向と略直交する方向に前記棒材支持孔と対向する位置において前記コネクタハウジング相互の嵌合方向と略直交する方向に延在するように当該他方のコネクタハウジングの後端部に隆起形成された隆起部と、前記棒材支持孔に挿通された前記棒状部材の先端が当接するように前記隆起部に形成されて、前記棒状部材に作用している軸方向の荷重を、前記他方のコネクタハウジングを前記一方のコネクタハウジングに押し込む方向の荷重に変換する傾斜面と、を備え、
コネクタハウジング相互を嵌合開始位置に位置決めした後、前記棒材支持孔から前記傾斜面上に前記棒状部材を押し込むことで、コネクタハウジング相互が嵌合接続されることを特徴とするコネクタ。
【請求項２】
前記突起部は、前記他方のコネクタハウジングの略中央に貫通形成された突起挿通孔を挿通して他方のコネクタハウジングの後端側に突出するように、装備されていることを特徴とする請求項１に記載のコネクタ。
【請求項３】
前記突起部側には向いていない前記隆起部の外側面には、前記棒状部材の先端をコネクタハウジング相互の嵌合方向と交差する方向に挿入可能な凹部を備え、
コネクタハウジング相互の嵌合接続状態において前記一方のコネクタハウジングの前記凹部と対向する位置には、先端を前記凹部に挿入した前記棒状部材の中間部外側面が当接可能な離脱用当接面を備え、
コネクタハウジング相互を嵌合接続した状態で前記凹部に先端部を挿入すると共に前記離脱用当接面に中間部外側面を当接した前記棒状部材の基端側を押し下げることで、コネクタハウジング相互の嵌合を解除させることを特徴とする請求項１又は２に記載のコネクタ。
【請求項４】
前記棒材支持孔、前記傾斜面、前記凹部、前記離脱用当接面のそれぞれが、前記棒状部材として汎用工具であるドライバを使用可能に形成されていることを特徴とする請求項１から３の何れか一項に記載のコネクタ。
【発明の詳細な説明】
【技術分野】
【０００１】
本発明は、コネクタハウジング相互を低挿入力で嵌合接続することのできるコネクタに関する。
【背景技術】
【０００２】
図１４は、コネクタハウジング相互を低挿入力で嵌合接続することのできるコネクタの従来例を示したものである。
【０００３】
図１４に示したコネクタ１００は、下記特許文献１に開示されたものである。
このコネクタ１００は、所謂レバー式コネクタで、先端側に相手コネクタハウジングを嵌合させるフード部１１１を有した雌コネクタハウジング１１０と、フード部１１１に雌雄嵌合する雄コネクタハウジング１２０と、雄コネクタハウジング１２０に回動可能に組み付けられたレバー１３０と、を備える。
【０００４】
レバー１３０は、その長手方向（図１４の矢印Ｘ１方向）の中間部が雄コネクタハウジング１２０に突設された支点軸１２１に係合することで、雄コネクタハウジング１２０に回動可能に連結されている。図１４に示す矢印Ｒ１は、支点軸１２１を支点としたレバー１３０の回動方向を示している。
【０００５】
雄コネクタハウジング１２０は、図示のようにレバー１３０の一端部１３１が雌コネクタハウジング１１０側に下がった傾斜状態で、雌コネクタハウジング１１０との嵌合開始位置に位置決めされる。
【０００６】
レバー１３０の一端部１３１には、該レバー１３０の他端部１３２を押下して支点軸１２１回りに回動させたときに、雌コネクタハウジング１１０側に装備された不図示の凹部と係合する突起部が、設けられている。また、レバー１３０の他端部１３２には、押下された際に雄コネクタハウジング１２０を押下方向に押し下げるハウジング押し込み部が設けられている。
【０００７】
以上のコネクタ１００は、雌コネクタハウジング１１０と雄コネクタハウジング１２０とを嵌合開始位置に位置決めした後、レバー１３０の他端部１３２を雌コネクタハウジング１１０側に押下すると、一端部１３１を雌コネクタハウジング１１０に係合させたレバー１３０がてこ部材として機能して、雄コネクタハウジング１２０に大きな押し込み力を作用させるため、低挿入力で、コネクタハウジング相互を嵌合接続させることができる。
【先行技術文献】
【特許文献】
【０００８】
【特許文献１】特開２００２−３５９０２８号公報
【発明の概要】
【発明が解決しようとする課題】
【０００９】
ところが、コネクタハウジング相互の嵌合接続用のレバー１３０を備える上記のコネクタ１００は、レバー１３０のために構成部品の増加や組立工程の増加といった問題を招いた。
【００１０】
また、レバー１３０をてことして利用する際にレバー１３０に入力する挿入力（押下力）の大きさは、てこ比によって決まる。挿入力を小さくするには、レバー１３０の長さ寸法を大きくして、てこ比を増大させることが有効である。
【００１１】
しかし、挿入力を小さくするためにレバー１３０の長さ寸法を大きくすると、コネクタが大型化してしまうという問題が生じてしまう。
【００１２】
そこで、本発明の目的は、上記課題を解消することに係り、構成部品の増加や組立工程の増加を招かずに、コネクタハウジング相互をレバー式コネクタと同等又はそれ以上の低挿入力で嵌合接続することのでき、また、小型化にも適したコネクタを提供することにある。
【課題を解決するための手段】
【００１３】
本発明の前述した目的は、下記の構成により達成される。
（１）嵌合接続される雌雄一対のコネクタハウジングを備えるコネクタであって、
雌雄一対のコネクタハウジングの内の何れか一方のコネクタハウジングは、相手コネクタハウジングとの嵌合開始位置に位置決めされた場合に先端部が相手コネクタハウジングの後端部よりも相手コネクタハウジングの後方側に突出するようにコネクタハウジング相互の嵌合方向に沿って突設された突起部と、別体の棒状部材をコネクタハウジング相互の嵌合方向と交差する方向に挿通可能に前記突起部の先端部に貫通形成された棒材支持孔と、を備え、
前記雌雄一対のコネクタハウジングの内の他方のコネクタハウジングは、前記一方のコネクタハウジングとの嵌合開始位置に位置決めされた場合にコネクタハウジング相互の嵌合方向と略直交する方向に前記棒材支持孔と対向する位置において前記コネクタハウジング相互の嵌合方向と略直交する方向に延在するように当該他方のコネクタハウジングの後端部に隆起形成された隆起部と、前記棒材支持孔に挿通された前記棒状部材の先端が当接するように前記隆起部に形成されて、前記棒状部材に作用している軸方向の荷重を、前記他方のコネクタハウジングを前記一方のコネクタハウジングに押し込む方向の荷重に変換する傾斜面と、を備え、
コネクタハウジング相互を嵌合開始位置に位置決めした後、前記棒材支持孔から前記傾斜面上に前記棒状部材を押し込むことで、コネクタハウジング相互が嵌合接続されることを特徴とするコネクタ。
【００１４】
（２）前記突起部は、前記他方のコネクタハウジングの略中央に貫通形成された突起挿通孔を挿通して他方のコネクタハウジングの後端側に突出するように、装備されていることを特徴とする上記（１）に記載のコネクタ。
【００１５】
（３）前記突起部側には向いていない前記隆起部の外側面には、前記棒状部材の先端をコネクタハウジング相互の嵌合方向と交差する方向に挿入（係合）可能な凹部を備え、
コネクタハウジング相互の嵌合接続状態において前記一方のコネクタハウジングの前記凹部と対向する位置には、先端を前記凹部に挿入した前記棒状部材の中間部外側面が当接可能な離脱用当接面を備え、
コネクタハウジング相互を嵌合接続した状態で前記凹部に先端部を挿入すると共に前記離脱用当接面に中間部外側面を当接した前記棒状部材の基端側を押し下げることで、コネクタハウジング相互の嵌合を解除させることを特徴とする上記（１）又は（２）に記載のコネクタ。
【００１６】
（４）前記棒材支持孔、前記傾斜面、前記凹部、前記離脱用当接面のそれぞれが、前記棒状部材として汎用工具であるドライバを使用可能に形成されていることを特徴とする上記（１）〜（３）の何れか１つに記載のコネクタ。
【００１７】
上記（１）の構成によれば、コネクタハウジング相互を嵌合開始位置に位置決めした後、棒材支持孔から傾斜面上に前記棒状部材を押し込むと、棒状部材の先端が当接する傾斜面には、棒状部材に加えられている軸方向の荷重が、押し込む方向の荷重に変換されて作用する。また、同時に、反作用として、突起部には、引き上げる方向の荷重が作用する。これらの傾斜面及び突起部に作用する荷重によって、コネクタハウジング相互を嵌合接続することができる。
【００１８】
そして、棒状部材の挿入方向に対して傾斜面の傾斜を緩やかに設定することで、棒状部材の挿入操作力を小さくすることができ、レバー式コネクタと同様に、コネクタハウジング相互の嵌合接続時の操作力を小さくすることができる。
【００１９】
また、棒状部材は、コネクタを構成するそれぞれのコネクタハウジングとは別体であり、別体の工具としての取り扱いで活用することができ、事前にコネクタハウジングに組み付けるレバーとは異なり、組立工程の増加を招かない。更に、棒状部材は、それぞれのコネクタハウジングとは別体の工具等として取り扱うことができるため、棒状部材には操作し易い長さや太さを付与しても、コネクタの大型化を招くことがなく、コネクタの小型化を図ることができる。
【００２０】
従って、組立工程の増加を招かずに、コネクタハウジング相互をレバー式コネクタと同等又はそれ以上の低挿入力で嵌合接続することができ、また、小型化を図ることもできる。
【００２１】
上記（２）の構成によれば、突起部が他方のコネクタハウジングの略中央を挿通していて、棒状部材を突起部上の棒材支持孔から傾斜面に押し込むコネクタハウジング相互の嵌合接続操作時に、棒状部材から突起部を介して一方のコネクタハウジングに作用する嵌合方向の荷重は、突起部の装備位置である一方のコネクタハウジングの略中央に作用する。
【００２２】
そのため、一方のコネクタハウジングに傾きや拗りが生じることを抑止して、コネクタハウジング相互の嵌合を円滑化することができる。
【００２３】
上記（３）の構成によれば、コネクタハウジング相互の嵌合接続が完了した状態で、凹部に先端部を挿入すると共に離脱用当接面に中間部外側面を当接した棒状部材は、その基端側を押下すると、コネクタハウジング相互の嵌合を解除するレバーとして機能し、レバー式コネクタと同様に、コネクタハウジング相互の離脱時の操作力を小さくすることもできる。
【００２４】
上記（４）の構成によれば、棒状部材には汎用工具であるドライバを使用することで、専用の棒状部材を用意する必要がなくなり、コネクタの構成部品の増加を防止することができる。
【発明の効果】
【００２５】
本発明によるコネクタによれば、コネクタハウジング相互を嵌合開始位置に位置決めした後、棒材支持孔から傾斜面上に前記棒状部材を押し込むことで、コネクタハウジング相互を嵌合接続することができる。
【００２６】
そして、棒状部材の挿入方向に対して傾斜面の傾斜を緩やかに設定することで、棒状部材の挿入操作力を小さくすることができ、レバー式コネクタと同様に、コネクタハウジング相互の嵌合接続時の挿入力を小さくすることができる。
【００２７】
また、棒状部材は、コネクタを構成するそれぞれのコネクタハウジングとは別体であり、別体の工具としての取り扱いで活用することができ、事前にコネクタハウジングに組み付けるレバーとは異なり、組立工程の増加を招かない。更に、棒状部材は、それぞれのコネクタハウジングとは別体の工具等として取り扱うことができるため、棒状部材には操作し易い長さや太さを付与しても、コネクタの大型化を招くことがなく、コネクタの小型化を図ることができる。
【００２８】
従って、組立工程の増加を招かずに、コネクタハウジング相互をレバー式コネクタと同等又はそれ以上の低挿入力で嵌合接続することができ、また、小型化を図ることもできる。
【図面の簡単な説明】
【００２９】
【図１】本発明に係るコネクタの一実施形態の分解斜視図である。
【図２】図１に示した雄コネクタハウジングの前面（先端面）図である。
【図３】図２のＡ矢視図である。
【図４】図３のＢ矢視図である。
【図５】図１に示した雌コネクタハウジングの後面図である。
【図６】図５のＣ矢視図である。
【図７】図６のＤ矢視図である。
【図８】コネクタハウジング相互を嵌合開始位置に位置決めした後、雄コネクタハウジングの突起部の棒材支持孔にドライバの軸部の先端が挿入された状態の側面図である。
【図９】図８の状態から更にドライバの軸部の先端が雌コネクタハウジング上の傾斜面上に押し込まれて、コネクタハウジング相互が嵌合接続された状態の側面図である。
【図１０】図９に示した嵌合接続状態の斜視図である。
【図１１】図１に示したコネクタハウジング相互の嵌合が完了した状態の斜視図である。
【図１２】嵌合接続状態のコネクタハウジング沿うとを離脱させる方法を示す斜視図である。
【図１３】図１２の要部の拡大図である。
【図１４】従来の低挿入力コネクタの説明図である。
【発明を実施するための形態】
【００３０】
以下、本発明に係るコネクタの好適な実施形態について、図面を参照して詳細に説明する。
【００３１】
図１〜図７は本発明に係るコネクタの一実施形態を示したもので、図１は本発明に係るコネクタの一実施形態の分解斜視図、図２は図１に示した雄コネクタハウジングの前面（先端面）図、図３は図２のＡ矢視図、図４は図３のＢ矢視図、図５は図１に示した雌コネクタハウジングの後面図、図６は図５のＣ矢視図、図７は図６のＤ矢視図である。
【００３２】
この一実施形態のコネクタ１は、図１に示すように、相手コネクタハウジングが嵌合する略角筒状のフード部１１が先端に設けられた雄コネクタハウジング１０と、該雄コネクタハウジング１０に雌雄嵌合する雌コネクタハウジング２０と、を備える。
【００３３】
雌コネクタハウジング２０は、先端部２０ａをフード部１１内に所定の深さまで挿入することで、雄コネクタハウジング１０に嵌合接続される。
【００３４】
本実施形態の場合、一対の雌雄コネクタハウジング１０，２０の内の一方のコネクタハウジングに相当する雄コネクタハウジング１０は、図２〜図４に示すように、雄端子収容部１２と、突起部１４と、棒材支持孔１５と、離脱用当接面１６と、を備えている。
【００３５】
雄端子収容部１２は、図示はしていないが雄端子金具を収容する複数の端子収容孔を整列配置した構成で、複数の雄端子金具を収容保持する。雄端子収容部１２は、フード部１１とは逆側となる後端側（フード部１１の内奥部）に、設けられている。
【００３６】
突起部１４は、図１〜図３に示すように、略角柱状で、コネクタハウジング相互の嵌合方向に沿って突設されている。また、突起部１４は、雄コネクタハウジング１０の雄端子収容部１２の略中央に垂直に立設されている。また、突起部１４は、図８に示すように、雄コネクタハウジング１０のフード部１１に雌コネクタハウジング２０の先端部２０ａが挿入されて、雄コネクタハウジング１０が雌コネクタハウジング２０との嵌合開始位置に位置決めされた場合に、先端部１４ａが雌コネクタハウジング２０の後端部２０ｂよりも該雌コネクタハウジング２０の後方側（図８では、矢印Ｙ２側）に突出するように、突出長さが設定されている。
【００３７】
棒材支持孔１５は、図１及び図４に示すように、コネクタハウジング１０，２０とは別体の棒状部材としてのドライバ３０（図８参照）の軸部３１をコネクタハウジング相互の嵌合方向と交差する方向に挿入可能に、突起部１４の先端部１４ａに貫通形成された孔である。
【００３８】
この棒材支持孔１５の孔径は、ドライバ３０の軸部３１を抵抗なく抜き差しできるように、軸部３１の外径よりも僅かに大きく設定されている。
【００３９】
離脱用当接面１６は、図２〜図４に示すように、突起部１４の棒材支持孔１５と対向するフード部１１の先端に設けられている。この離脱用当接面１６の装備位置は、後述する雌コネクタハウジング２０の凹部２５と対向する位置である。この離脱用当接面１６は、図１２に示すように、コネクタハウジング相互の嵌合接続状態において雌コネクタハウジング２０の凹部２５に先端を挿入したドライバ３０の軸部３１の中間部外側面が当接可能な面である。この離脱用当接面１６は、軸部３１が軸と直交する方向にずれにくい溝状に形成されている。
【００４０】
雌雄一対のコネクタハウジング１０，２０の内の他方のコネクタハウジングである雌コネクタハウジング２０は、図１及び図５〜図７に示すように、雌端子収容部２１と、突起挿通孔２２と、隆起部２３と、傾斜面２４と、凹部２５と、を備える。
【００４１】
雌端子収容部２１は、図５に示すように、雌端子金具を収容する複数の端子収容孔２１ａを整列配置した構成で、複数の雌端子金具を収容保持する。
【００４２】
突起挿通孔２２は、雄コネクタハウジング１０の突起部１４を挿通する孔で、雄コネクタハウジング１０における突起部１４の装備位置に対応して、雌コネクタハウジング２０の中央に貫通形成されている。
【００４３】
図８及び図９に示すように、雄コネクタハウジング１０と雌コネクタハウジング２０とを嵌合開始位置に位置決めすると、雄コネクタハウジング１０の突起部１４が雌コネクタハウジング２０の突起挿通孔２２を貫通して、突起部１４の先端部１４ａが、雌コネクタハウジング２０の後端側に突出する。
【００４４】
隆起部２３は、図１に示すように、突起挿通孔２２に隣接する位置に、後方に向かって隆起する形状に設けられている。更に詳しく説明すると、この隆起部２３は、図８及び図９に示すように雌コネクタハウジング２０を雄コネクタハウジング１０との嵌合開始位置に位置決めした場合に、棒材支持孔１５と対向する位置に設けられている。また、隆起部２３は、図８及び図９に示すように、コネクタハウジング相互の嵌合方向と略直交し、且つ、棒材支持孔１５と対向する方向（図８の矢印Ｘ２方向）に延在するように、雌コネクタハウジング２０の後端部に隆起形成されたている。
【００４５】
傾斜面２４は、棒材支持孔１５に挿通されたドライバ３０の軸部３１が当接するように隆起部２３に形成されている。また、傾斜面２４は、ドライバ３０の軸部３１に作用している軸方向の荷重を、雌コネクタハウジング２０を雄コネクタハウジング１０に押し込む方向の荷重に変換するように、突起部１４側から離れる方向に上り勾配となる傾斜面に形成されている。
【００４６】
本実施形態の場合、傾斜面２４は、軸部３１が軸と直交する方向にずれにくい溝状に形成されている。
【００４７】
凹部２５は、図１及び図７に示すように、ドライバ３０の軸部３１の先端をコネクタハウジング相互の嵌合方向と交差（略直交）する方向に挿入（係合）可能な窪みである。この凹部２５は、棒材支持孔１５側には向いていない隆起部２３の外側面で、離脱用当接面１６と対向する面に形成されている。また、凹部２５は、傾斜面２４より下側に配置されている。
【００４８】
次に、雄コネクタハウジング１０と雌コネクタハウジング２０を嵌合接続する方法、及び、嵌合接続されている雄コネクタハウジング１０と雌コネクタハウジング２０とを離脱させる方法を順に説明する。
【００４９】
まず、コネクタハウジング相互を嵌合接続する方法を、図８〜図１０に基づいて説明する。
【００５０】
まず、図８に示すように雄コネクタハウジング１０と雌コネクタハウジング２０とを嵌合開始位置に位置決めした後、棒材支持孔１５から傾斜面２４上にドライバ３０の軸部３１を押し込む。棒材支持孔１５を貫通した軸部３１が図９に示すように隆起部２３上の傾斜面２４に乗り上げると、軸部３１の先端が当接する傾斜面２４には、ドライバ３０に加えられている軸方向の荷重が、押し込む方向の荷重Ｆ１に変換されて作用する。また、同時に、反作用として、突起部１４には、引き上げる方向の荷重Ｆ２が作用する。これらの傾斜面２４及び突起部１４に作用する荷重Ｆ１，Ｆ２によって、コネクタハウジング相互を嵌合接続することができる。軸部３１の先端が、図９に示すように、傾斜面２４の端面から突出する状態になると、コネクタハウジング１０，２０相互の嵌合接続が完了する。図１１は、コネクタハウジング１０，２０相互の嵌合接続が完了した状態を示している。
【００５１】
即ち、本実施形態のコネクタ１は、コネクタハウジング１０，２０相互を嵌合開始位置に位置決めした後、棒材支持孔１５から傾斜面２４上にドライバ３０の軸部３１を押し込むことで、コネクタハウジング１０，２０相互が嵌合接続される。
【００５２】
次に、コネクタハウジング相互を嵌合状態から離脱させる方法を、図１２及び図１３に基づいて説明する。
【００５３】
この場合は、図１２及び図１３に示すように、コネクタハウジング相互を嵌合接続した状態で、ドライバ３０の軸部３１の先端を凹部２５に挿入すると共に、軸部３１の中間部外側面を離脱用当接面１６に当接させる。そして、図１２の矢印Ｚ２に示すように、ドライバ３０の基端側を下方に押し下げる。
【００５４】
すると、図１３に示すように、ドライバ３０の押し下げによって、離脱用当接面１６には矢印Ｙ４で示す下向きの押し下げ荷重が作用すると共に、隆起部２３には矢印Ｙ５に示す上向きの引き上げ荷重が作用し、コネクタハウジング１０，２０相互が互いに離脱方向に移動して、コネクタハウジング１０，２０相互の離脱が行われる。
【００５５】
即ち、本実施形態のコネクタ１は、コネクタハウジング相互を嵌合接続した状態で凹部２５に先端部を挿入すると共に離脱用当接面１６に中間部外側面を当接したドライバ３０の基端側を押し下げることで、コネクタハウジング相互の嵌合を解除させることができる。
【００５６】
以上に説明した本実施形態のコネクタ１では、コネクタハウジング相互を嵌合開始位置に位置決めした後、棒材支持孔１５から傾斜面２４上にドライバ３０の軸部３１を押し込むと、ドライバ３０に加えられている軸方向の荷重が、コネクタハウジング相互の嵌合方向の荷重となって突起部１４及び隆起部２３に作用して、コネクタハウジング相互を嵌合接続することができる。
【００５７】
そして、ドライバ３０の軸部３１の挿入方向に対して傾斜面２４の傾斜を緩やかに設定することで、ドライバ３０の挿入操作力が小さくすることができ、レバー式コネクタと同様に、コネクタハウジング相互の嵌合接続時の操作力を小さくすることができる。
【００５８】
また、ドライバ３０は、コネクタ１を構成するそれぞれのコネクタハウジング１０，２０とは別体であり、別体の工具としての取り扱いで活用することができ、事前にコネクタハウジングに組み付けるレバーとは異なり、組立工程の増加を招かない。
【００５９】
更に、ドライバ３０は、それぞれのコネクタハウジング１０，２０とは別体の工具等として取り扱うことができるため、ドライバ３０には操作し易い長さや太さを付与しても、コネクタの大型化を招くことがなく、コネクタの小型化を図ることができる。
【００６０】
従って、組立工程の増加を招かずに、コネクタハウジング１０，２０相互をレバー式コネクタと同等又はそれ以上の低挿入力で嵌合接続することができ、また、小型化を図ることもできる。
【００６１】
また、以上に説明した本実施形態のコネクタ１では、突起部１４が他方のコネクタハウジング２０の略中央を挿通していて、ドライバ３０の軸部３１を突起部１４上の棒材支持孔１５から傾斜面２４に押し込む嵌合接続操作時に、軸部３１から突起部１４を介して一方のコネクタハウジング１０に作用する嵌合方向の荷重は、突起部１４の装備位置である一方のコネクタハウジング１０の略中央に作用する。
【００６２】
そのため、一方のコネクタハウジング１０に傾きや拗りが生じることを抑止して、コネクタハウジング１０，２０相互の嵌合を円滑化することができる。
【００６３】
また、以上に説明した本実施形態のコネクタ１では、コネクタハウジング相互の嵌合接続が完了した状態で、凹部２５に先端部を挿入すると共に離脱用当接面１６に中間部外側面を当接したドライバ３０は、その基端側を押下すると、コネクタハウジング相互の嵌合を解除するレバーとして機能し、レバー式コネクタと同様に、コネクタハウジング相互の離脱時の操作力を小さくすることもできる。
【００６４】
また、以上に説明した本実施形態のコネクタ１では、棒状部材には汎用工具であるドライバを使用することで、専用の棒状部材を用意する必要がなくなり、コネクタの構成部品の増加を防止することができる。
【００６５】
なお、本発明のコネクタ１は、前述した実施形態に限定されるものでなく、適宜な変形、改良等が可能である。
【００６６】
例えば、前述した実施形態では、雄コネクタハウジング１０に突起部１４を装備し、雌コネクタハウジング２０に隆起部２３を装備したが、逆に、雌コネクタハウジング２０に雄コネクタハウジング１０を貫通する突起部１４を装備し、雄コネクタハウジング１０の後端側に隆起部２３を装備することも可能である。
【００６７】
また、本実施形態では、棒状部材として汎用工具のドライバ３０を使用したが、ドライバ３０の軸部３１に相当する専用の棒状部材を用意するようにしても良い。
【００６８】
その他、前述した実施形態において例示した突起部１４や隆起部２３、離脱用当接面１６等の形状、寸法、配置箇所等は、本発明の目的を達成できるものであれば、任意であり、前述した実施形態に限定されない。
【符号の説明】
【００６９】
１  コネクタ
１０  雄コネクタハウジング（一方のコネクタハウジング）
１４  突起部
１４ａ  先端部
１５  棒材支持孔
１６  離脱用当接面
２０  雌コネクタハウジング（他方のコネクタハウジング）
２２  突起挿通孔
２３  隆起部
２４  傾斜面
２５  凹部
３０  ドライバ
３１  軸部（棒状部材）
【図１】
0005631192.tif 000002
【図２】
0005631192.tif 000003
【図３】
0005631192.tif 000004
【図４】
0005631192.tif 000005
【図５】
0005631192.tif 000006
【図６】
0005631192.tif 000007
【図７】
0005631192.tif 000008
【図８】
0005631192.tif 000009
【図９】
0005631192.tif 000010
【図１０】
0005631192.tif 000011
【図１１】
0005631192.tif 000012
【図１２】
0005631192.tif 000013
【図１３】
0005631192.tif 000014
【図１４】
0005631192.tif 000015